(57)【要約】【課題】制御装置と出力装置の双方において出力装置の設定操作を行うことが可能な画像出力システムにおいて、制御装置と出力装置の各々において出力装置の設定内容に不整合が生じることを防止する画像出力システム、制御装置、出力装置及び設定操作制御方法を提供する。【解決手段】制御装置２の出力装置３に対する制御機能が有効となった場合、出力装置３の設定部３４は、当該装置３の操作部における設定操作を無効とする。また、制御装置２において出力装置３の設定が終了した場合には、当該装置３の操作部における設定操作を有効とする。さらに、出力装置３の操作部における設定操作が無効とされている場合であっても、出力装置３の操作部において所定の操作が成された場合には、出力装置３の設定部３４は、当該装置３の操作部における設定操作を有効とする。【選択図】　　　図２
2004005032.tif 000002
【特許請求の範囲】
【請求項１】
画像出力を行う出力装置と該出力装置の出力制御を行う制御装置とから構成され、前記出力装置に設けられた設定手段における設定内容、或いは、前記制御装置における設定内容に従って、前記出力装置により画像出力を行う画像出力システムであって、
前記制御装置は、当該制御装置が前記出力装置の制御が可能な状態である場合に、その旨を前記出力装置に通知する制御可能通知手段を有し、
前記出力装置は、前記制御装置の制御可能通知手段から前記通知があった場合に、自身に設けられた設定手段における設定操作を無効とする設定機能無効手段を有することを特徴とする画像出力システム。
【請求項２】
前記制御可能通知手段は、前記制御装置の制御部が起動した際に、又は、前記制御装置の制御部が起動し、その制御機能が有効となった際に前記通知を行うことを特徴とする請求項１記載の画像出力システム。
【請求項３】
前記設定機能無効手段は、前記出力装置がその設定を行うことが可能な状態にある場合にのみ、前記設定手段における設定操作を無効とすることを特徴とする請求項１又は請求項２に記載の画像出力システム。
【請求項４】
前記出力装置は、前記設定手段における設定操作の無効を解除する設定機能無効解除手段をさらに有することを特徴とする請求項１乃至請求項３の何れか一項に記載の画像出力システム。
【請求項５】
前記出力装置は、前記設定手段における設定操作の無効が解除された場合に、その旨を前記制御装置に通知する解除通知手段をさらに有することを特徴とする請求項１乃至請求項４の何れか一項に記載の画像出力システム。
【請求項６】
前記制御装置は、前記解除通知手段から前記通知があった場合に、当該制御装置における前記出力装置の設定操作を無効とする設定機能無効手段をさらに有することを特徴とする請求項１乃至請求項５の何れか一項に記載の画像出力システム。
【請求項７】
前記制御装置は、当該制御装置における前記出力装置の設定操作の無効を解除する設定機能無効解除手段をさらに有することを特徴とする請求項１乃至請求項６の何れか一項に記載の画像出力システム。
【請求項８】
画像出力を行う出力装置の出力制御を行う制御装置であって、当該制御装置が前記出力装置の制御が可能な状態である場合に、その旨を前記出力装置に通知する制御可能通知手段と、該制御可能通知手段からの通知に応じて前記出力装置が当該出力装置に設けられた設定手段における設定操作を無効とした場合に、前記出力装置の設定手段に替わり前記出力装置の設定を行う設定手段とを有することを特徴とする制御装置。
【請求項９】
前記制御可能通知手段は、当該制御装置の制御部が起動した際に、又は、当該制御装置の制御部が起動し、その制御機能が有効となった際に前記通知を行うことを特徴とする請求項８記載の制御装置。
【請求項１０】
前記出力装置が当該出力装置の設定手段における設定操作の無効を解除した場合に、当該制御装置の設定手段における前記出力装置の設定操作を無効とする設定機能無効手段をさらに有することを特徴とする請求項８又は請求項９に記載の制御装置。
【請求項１１】
当該制御装置の設定手段における前記出力装置の設定操作の無効を解除する設定機能無効解除手段をさらに有することを特徴とする請求項８乃至請求項１０の何れか一項に記載の制御装置。
【請求項１２】
各種設定を行う設定手段を有し、前記設定手段における設定内容、或いは、当該出力装置の制御を行う制御装置における設定内容に従って画像出力を行う出力装置であって、
前記制御装置から該制御装置が当該出力装置の制御を行うこと可能な状態である旨の通知を受けた場合に、前記設定手段における設定操作を無効とする設定機能無効手段を有することを特徴とする出力装置。
【請求項１３】
前記設定機能無効手段は、当該出力装置が前記設定手段において設定を行うことが可能な状態にある場合にのみ、前記設定手段における設定操作を無効とすることを特徴とする請求項１２に記載の出力装置。
【請求項１４】
前記設定手段における設定操作の無効を解除する設定機能無効解除手段をさらに有することを特徴とする請求項１２又は請求項１３に記載の出力装置。
【請求項１５】
前記設定手段における設定操作の無効が解除された場合に、その旨を前記制御装置に通知する解除通知手段をさらに有することを特徴とする請求項１２乃至請求項１４の何れか一項に記載の出力装置。
【請求項１６】
画像出力を行う出力装置と該出力装置の出力制御を行う制御装置とから構成され、前記出力装置に設けられた設定手段における設定内容、或いは、前記制御装置における設定内容に従って、前記出力装置により画像出力を行う画像出力システムにおいて、前記制御装置或いは前記出力装置において、前記出力装置の設定を行う際の前記制御装置及び前記出力装置における設定操作制御方法であって、
前記制御装置が前記出力装置の制御が可能な状態である場合に、前記制御装置からその旨を前記出力装置に通知し、
前記制御装置から通知があった場合に、前記出力装置において、当該出力装置に設けられた設定手段における設定操作を無効とすることを特徴とする設定操作制御方法。
【請求項１７】
前記制御装置の制御部が起動した際に、又は、前記制御装置の制御部が起動し、その制御機能が有効となった際に、前記制御部から前記出力装置にその旨の通知を行うことを特徴とする請求項１６記載の設定操作制御方法。
【請求項１８】
前記出力装置が当該出力装置の設定を行うことが可能な状態にある場合にのみ、前記出力装置において、前記設定手段における設定操作を無効とすることを特徴とする請求項１６又は請求項１７に記載の設定操作制御方法。
【請求項１９】
前記出力装置に設けられた設定手段において所定の操作が行われた場合に、前記出力装置において、前記設定手段における設定操作の無効を解除することを特徴とする請求項１６乃至請求項１８の何れか一項に記載の設定操作制御方法。
【請求項２０】
前記出力装置に設けられた設定手段における設定操作の無効を解除した場合に、さらに、前記出力装置から前記制御装置にその旨を通知することを特徴とする請求項１６乃至請求項１９の何れか一項に記載の設定操作制御方法。
【請求項２１】
前記出力装置から前記設定手段における設定操作の無効が解除された旨の通知があった場合に、前記制御装置における前記出力装置の設定操作を無効とすることを特徴とする請求項１６乃至請求項２０の何れか一項に記載の設定操作制御方法。
【請求項２２】
前記制御装置において所定の操作が行われた場合に、前記制御装置における前記出力装置の設定操作の無効を解除することを特徴とする請求項１６乃至請求項２１の何れか一項に記載の設定操作制御方法。
【発明の詳細な説明】
【０００１】
【発明の属する技術分野】
本発明は、画像出力を行う画像出力装置と、この画像出力装置に関する動作制御及び画像データの加工・送信等を行う制御装置と、これらから構成される画像出力システム及びその設定操作制御方法に関するものであって、特に、印刷・製版業の色校正工程で使用されるＤＣＰ（Ｄｉｇｉｔａｌ・Ｃｏｌｏｒ・Ｐｒｏｏｆ）作成装置と、その制御装置と、これらから構成される画像出力システム及びその設定操作制御方法に関するものである。
【０００２】
【従来の技術】
一般に、印刷・製版業の色校正で使用される出力装置、即ち、ＤＣＰ作成装置は、高度な調整や設定が必要であり、このＤＣＰ作成装置の設定については、当該装置に設けられたタッチパネル等の設定手段を用いて行うことが通常となっている。従って、その設定変更や設定確認の際には、オペレータはＤＣＰ作成装置まで出向いて、これらを行うこととなっている。
【０００３】
しかしながら、近年においては、より利便性を考慮して、ＤＣＰ作成装置にその出力制御を行う制御装置を接続して、本来、ＤＣＰ作成装置において行う設定をこの制御装置においても行うことを可能にすることで、オペレータがＤＣＰ作成装置まで出向くことなく、その設定変更や設定確認を行うことが可能に構成された画像出力システムが出現してきている。
【０００４】
【発明が解決しようとする課題】
しかしながら、この画像出力システムにおいては、制御装置とＤＣＰ作成装置の双方において同一項目の設定を行うことが可能であるため、これらにおいて個々に設定操作が成された場合には、設定内容に不整合が生じ、オペレータが望んだ出力結果が得られないトラブルが発生する場合があった。
【０００５】
本発明は、上記課題を鑑みてなされたものであり、その目的とするところは、制御装置と出力装置の双方にて前記出力装置の設定操作を行うことが可能に構成された画像出力システムにおいて、前記制御装置と前記出力装置における設定操作の有効／無効を適切に制御することで、前記制御装置と前記出力装置の設定内容に不整合が生じることを防止する画像出力システム、制御装置、出力装置及び設定操作制御方法を提供することにある。
【０００６】
【課題を解決するための手段】
上記課題を解決するために、請求項１記載の発明は、画像出力を行う出力装置と該出力装置の出力制御を行う制御装置とから構成され、前記出力装置に設けられた設定手段における設定内容、或いは、前記制御装置における設定内容に従って、前記出力装置により画像出力を行う画像出力システムであって、前記制御装置は、当該制御装置が前記出力装置の制御が可能な状態である場合に、その旨を前記出力装置に通知する制御可能通知手段を有し、前記出力装置は、前記制御装置の制御可能通知手段から前記通知があった場合に、自身に設けられた設定手段における設定操作を無効とする設定機能無効手段を有することを特徴とする。
【０００７】
上記課題を解決するために、請求項８記載の発明は、画像出力を行う出力装置の出力制御を行う制御装置であって、当該制御装置が前記出力装置の制御が可能な状態である場合に、その旨を前記出力装置に通知する制御可能通知手段と、該制御可能通知手段からの通知に応じて前記出力装置が当該出力装置に設けられた設定手段における設定操作を無効とした場合に、前記出力装置の設定手段に替わり前記出力装置の設定を行う設定手段とを有することを特徴とする。
【０００８】
上記課題を解決するために、請求項１２記載の発明は、各種設定を行う設定手段を有し、前記設定手段における設定内容、或いは、当該出力装置の制御を行う制御装置における設定内容に従って画像出力を行う出力装置であって、前記制御装置から該制御装置が当該出力装置の制御を行うこと可能な状態である旨の通知を受けた場合に、前記設定手段における設定操作を無効とする設定機能無効手段を有することを特徴とする。
【０００９】
上記課題を解決するために、請求項１６記載の発明は、画像出力を行う出力装置と該出力装置の出力制御を行う制御装置とから構成され、前記出力装置に設けられた設定手段における設定内容、或いは、前記制御装置における設定内容に従って、前記出力装置により画像出力を行う画像出力システムにおいて、前記制御装置或いは前記出力装置において、前記出力装置の設定を行う際の前記制御装置及び前記出力装置における設定操作制御方法であって、前記制御装置が前記出力装置の制御が可能な状態である場合に、前記制御装置からその旨を前記出力装置に通知し、前記制御装置から通知があった場合に、前記出力装置において、当該出力装置に設けられた設定手段における設定操作を無効とすることを特徴とする。
【００１０】
【発明の実施の形態】
以下、本発明に係る画像出力システム、制御装置、出力装置及びその設定操作制御方法の一実施形態について、図面を参照しながら詳細に説明する。尚、本発明に係る出力装置は、プリンタ、複写機、ファクシミリ等、種々の出力装置に対して適応可能なものであるが、以下においては、出力装置がＤＣＰ作成装置であるものとして説明する。
【００１１】
［画像出力システムの構成］
（システム構成）
図１に、本実施形態における画像出力システムの全体構成を表すシステム構成図を示す。同図に示すように、当該画像出力システムは、作業端末１から送信された画像データに所定の加工処理を施した後、これを出力装置３に送信すると共に、出力装置３に関する出力制御や該出力装置３の操作部における設定操作の有効／無効等を制御する制御装置２と、この制御装置２から送信された画像データに基づき所定の画像を出力する出力装置３とから構成されている。
【００１２】
制御装置２は、コンピュータ本体、キーボード或いはマウス等の操作手段から成る操作部、モニタ等の表示手段から成る表示部等を備え、少なくとも出力装置３の出力制御や該装置３の操作部おける設定操作の有効／無効の制御を行うための動作プログラムが組み込まれている。そして、当該制御装置２は、作業端末１から送信された画像データを、予め設定された出力条件に従って加工処理した後、これを出力装置３に送信する。尚、前記出力条件は、当該制御装置２において、画像データ自体を加工して反映させる方法もあれば、出力条件を別途通知しておき、出力装置３において設定に反映させる方法もある。
【００１３】
出力装置３は、画像出力部及び操作部等を備え、前記操作部は、液晶パネル等の表示手段とタッチパネル等の入力手段とから構成されている。そして、制御装置２における設定内容、或いは、当該装置３の操作部からの設定内容に従い、制御装置２から送信される画像データに基づき所定の画像を出力する。
【００１４】
（制御構成）
図２に、当該画像出力システムの制御装置２及び出力装置３の制御構成を表すブロック図を示す。
【００１５】
同図に示すように、制御装置２は、各部の制御を行うＣＰＵ２１と、各種制御プログラムを記憶するＨＤＤ（ハードディスクドライブ）２２と、これを実行する際に必要となる各種データを記憶するメモリ２３と、出力装置３に関する各種設定を行う設定部２４と、この出力装置３に関する設定情報を出力装置３へ送信し、又、出力装置３から受信する設定情報送受信部２５と、出力装置３に関する出力制御、具体的には、出力装置３の画像出力部３６に対する画像データの送信等を行う出力装置制御部２６とを含み構成されている。尚、ＨＤＤ２２には、出力装置３の出力制御や該装置３の操作部おける設定操作の有効／無効の制御を行うための動作プログラムが組み込まれている。
【００１６】
一方、出力装置３は、各部の制御を行うＣＰＵ３１と、画像データ等を記憶するＨＤＤ（ハードディスクドライブ）３２と、各種制御プログラム及びこれを実行する際に必要となる各種データを記憶するメモリ３３と、当該装置３に関する各種設定を行う設定部３４と、この当該装置３に関する設定情報を制御装置２へ送信し、又、制御装置２から受信する設定情報送受信部３５と、制御装置２の出力装置制御部２６から画像データを受信し、その画像出力処理を行う画像出力部３６とを含み構成されている。
【００１７】
このような構成において、出力装置３において当該装置３の各種設定を行う場合には、操作者は、当該装置３の操作部により設定操作を行い、当該装置３の設定部３４がその設定内容に基づく各種設定を行う。尚、この設定情報は、出力装置３の設定情報送受信部３５から制御装置２の設定部２４へ送信され、制御装置２においては、これを表示部にて表示し、操作部にてその設定変更等を行うことが可能となっている。また、制御装置２において出力装置３の各種設定を行う場合には、操作者は、当該装置２の操作部により設定操作を行い、当該装置２の設定部２４がその設定内容に基づく各種設定を行う。厳密には、その設定情報が当該装置２の設定部２４から出力装置３の設定部３４へ、設定情報送受信部２５及び設定情報送受信部３５を介して送信され、出力装置３の設定部３４がその設定内容に基づく各種設定を行う。尚、この設定情報は、出力装置３の操作部の表示手段に表示され、操作者は、当該装置３の操作部の操作手段によって、その設定操作を行うことが可能となっている。
【００１８】
但し、以上に説明した制御装置２と出力装置３における設定操作に関しては、以下に説明する設定操作の有効／無効に関する制御が行われることになる。
【００１９】
［設定操作の制御方法］
次に、当該画像出力システムの出力装置３における設定操作の制御方法について説明する。
【００２０】
当該画像出力システムにおいては、基本的に、出力装置３の操作部において当該装置３の各種設定を行う場合には、設定操作は有効とされる。例え、制御装置２からの要求により出力装置３の操作部における設定操作が無効とされている場合であっても、当該装置３の操作部においてこれを解除することが可能となっている。尚、この詳細については後述する。
【００２１】
図３に示すように、例えば制御装置２の電源が立ち上げられ、当該装置２のＨＤＤ２２が起動すると、或いは、ＨＤＤ２２が起動し、これに組み込まれた動作プログラムの機能が有効になると、制御装置２より出力装置３に対して接続許可コマンド信号が送信される。具体的には、制御装置２の設定部２４から出力装置３の設定部３４へ、設定情報送受信部２５及び設定情報送受信部３５を介して制御装置２の設定部２４が機能有効な状態となっていることが通知される。一方、出力装置３においては、接続許可コマンド信号を受信することが可能な場合には、これを受け入れ、出力装置３の設定部３４は、当該装置３の操作部における設定操作を無効とし、その旨の接続許可応答信号を制御装置２の設定部２４へ、設定情報送受信部３５及び設定情報送受信部２５を介して送信する。
【００２２】
尚、出力装置３が接続許可コマンド信号を受信することが可能な状態とは、出力装置３の電源が立ち上げられ、当該装置３のメモリ３３に組み込まれた動作プログラムの機能が有効になっている状態を指し、又、出力装置３が接続許可コマンド信号を受信することが不可能な状態とは、出力装置３の電源が立ち上げられていない状態、出力装置３の操作部にて設定操作が行われている状態、出力装置３の画像出力部３６において画像出力処理が行われている状態、出力装置３が単体動作モードとなっている状態等を指す。
【００２３】
ここで、出力装置３の操作部において、その設定操作が無効とされた状態について説明する。
【００２４】
通常、出力装置３の操作部における液晶パネル等の表示手段には、図４に示すような出力装置制御プログラムメイン画面３Ａが表示されている。同図に示すように、該出力装置制御プログラムメイン画面３Ａには、出力装置３の状態、具体的には、装置ステータス・入力画像サイズ・出力枚数・カートリッジの記録材料の残量等が表示される。そして、同図におけるセットアップ画面項目に触れる等して、これを選択すると、図５に示すような、セットアップ画面３Ｂが表示される。当該セットアップ画面３Ｂは、出力装置３の各種設定を行う設定画面であり、同図に示すように、該セットアップ画面３Ｂには、出力装置３の各種設定項目、具体的には、カートリッジ交換・省電力モード設定・出力ＬＵＴ設定・時刻設定項目等が表示される。
【００２５】
このような構成において、出力装置３の設定部３４により操作部における設定操作が無効とされると、これら通常表示画面３Ａ、３Ｂに加えて、図６に示すようなロック解除画面３Ｃが表示され、これら通常表示画面３Ａ、３Ｂにおける操作は無効となり、表示内容がロックされた状態となる。しかしながら、同図に示すように、該ロック解除画面３Ｃには、通常表示画面３Ａ、３Ｂにおける表示内容がロックされている旨のコメントが表示されると共に、このロック状態を解除するロック解除項目が表示され、該ロック解除項目に触れる等して、これを選択すると、設定部３４によって、通常表示画面３Ａ、３Ｂにおける表示内容がロックされた状態が解除され、これら通常表示画面３Ａ、３Ｂにおける設定操作が有効となる。
【００２６】
この時、図７に示すように、出力装置３の設定部３４から制御装置２の設定部２４へ、設定情報送受信部３５及び設定情報送受信部２５を介してロック解除コマンド信号が送信され、一方、制御装置２においては、ロック解除コマンド信号を受信することが可能な場合には、これを受け入れ、当該装置２の設定部２４は、当該装置２の表示部に表示される通常表示画面３Ａ、３Ｂにおける設定操作を無効とし、その旨のロック解除許可応答信号を出力装置３の設定部３４へ、設定情報送受信部２５及び設定情報送受信部３５を介して送信する。
【００２７】
尚、制御装置２がロック解除コマンド信号を受信することが可能な状態とは、制御装置２の電源が立ち上げられ、当該装置２のＨＤＤ２２が起動し、これに組み込まれた動作プログラムの機能が有効になっている状態を指し、又、制御装置２がロック解除コマンド信号を受信することが不可能な状態とは、制御装置２の表示部にて設定操作が行われている状態、制御装置２の出力装置制御部２６において画像データの送信が行われている状態等を指す。
【００２８】
ところで、出力装置３より制御装置２に対してロック解除コマンド信号が送信された際に、制御装置２がロック解除コマンド信号を受信することが不可能であった場合には、制御装置２の設定部２４は、このロック解除コマンド信号の受信を拒否して（エラーコマンド信号を返信・無応答等）、設定部２４は、当該装置２の表示部に表示される通常表示画面３Ａ、３Ｂにおける設定操作を無効としない。
【００２９】
このように、出力装置３の操作部においては、完全にその設定操作を無効とされることにせず、前記ロック解除項目等のロック状態を解除する手段を設けることで、操作者は、制御装置２まで出向いて設定操作を行う必要が無くなり、緊急時等の操作性が向上する。
【００３０】
ところで、制御装置２より出力装置３に対して接続許可コマンド信号が送信された際に、出力装置３が接続許可コマンド信号を受信することが不可能であった場合には、出力装置３の設定部３４は、この接続許可コマンド信号の受信を拒否して（エラーコマンド信号を返信・無応答等）、設定部３４は、当該装置３の操作部における設定操作を無効としない。一方、制御装置２の表示部においては、当該装置２の設定部２４によって、出力装置３の操作部における表示内容と同様の通常表示画面３Ａ、３Ｂが表示されると共に、図６に示すようなロック解除画面３Ｃが表示され、これら通常表示画面３Ａ、３Ｂにおける操作は無効となり、表示内容はロックされた状態となる。但し、当該装置２の操作部によって該ロック解除画面３Ｃのロック解除項目を選択すれば、通常表示画面３Ａ、３Ｂにおける表示内容がロックされた状態が解除され、設定部２４において、通常表示画面３Ａ、３Ｂにおける設定操作が有効となる。
【００３１】
再び説明に戻って、出力装置３の設定部３４より接続許可応答信号を受信した制御装置２の設定部２４は、当該装置２の表示部において表示される、図４或いは図５に示す通常表示画面３Ａ、３Ｂにおける設定操作を有効とする。これにより、操作者は、図４に示す出力装置制御プログラムメイン画面３Ａにおいてセットアップ画面項目を選択することで、図５に示すセットアップ画面３Ｂを表示して、該セットアップ画面３Ｂにおいて、出力装置３の各種設定、具体的には、カートリッジ交換・省電力モード設定・出力ＬＵＴ設定・時刻設定等の設定を行うことが可能となる。
【００３２】
そして、該セットアップ画面３Ｂにおいて出力装置３の各種設定が成された場合には、図８に示すように、制御装置２の設定部２４から出力装置３の設定部３４へ、設定情報送受信部２５及び設定情報送受信部３５を介して設定変更コマンド信号が送信され、一方、出力装置３においては、設定変更コマンド信号を受信することが可能な場合には、これを受け入れ、当該装置３の設定変更を行うと共に、その旨の設定変更成功応答信号を制御装置２の設定部２４へ、設定情報送受信部３５及び設定情報送受信部２５を介して送信する。
【００３３】
尚、出力装置３が設定変更コマンド信号を受信することが可能な状態とは、出力装置３の電源が立ち上げられ、当該装置３のメモリ３３に組み込まれた動作プログラムの機能が有効になっている状態を指し、又、出力装置３が設定変更コマンド信号を受信することが不可能な状態とは、出力装置３の電源が立ち上げられていない状態、出力装置３の操作部にて設定操作が行われている状態、出力装置３の画像出力部３６において画像出力処理が行われている状態、出力装置３が単体動作モードとなっている状態等を指す。
【００３４】
ところで、制御装置２より出力装置３に対して設定変更コマンド信号が送信された際に、出力装置３が設定変更コマンド信号を受信することが不可能であった場合には、出力装置３の設定部３４は、この設定変更コマンド信号の受信を拒否する（エラーコマンド信号を返信・無応答等）。この場合、制御装置２の設定部２４は、当該装置２の表示部において、その旨の表示、例えば、“出力装置３からの応答がありません。”等のコメント表示を行う。
【００３５】
尚、制御装置２における出力装置３の設定操作が終了する等して、当該装置２のＨＤＤ２２に組み込まれた動作プログラムの機能が無効になると、或いは、ＨＤＤ２２が停止すると、図９に示すように、制御装置２より出力装置３に対して接続停止コマンド信号が送信される。具体的には、制御装置２の設定部２４から出力装置３の設定部３４へ、設定情報送受信部２５及び設定情報送受信部３５を介して制御装置２の設定部２４が機能無効の状態となっていることが通知される。一方、出力装置３では、接続停止コマンド信号を受信することが可能な場合には、これを受け入れ、当該装置３の設定部３４は、当該装置３の操作部における設定操作を有効とし、その旨の接続停止応答信号を制御装置２の設定部２４へ、設定情報送受信部３５及び設定情報送受信部２５を介して送信する。
【００３６】
尚、出力装置３が接続停止コマンド信号を受信することが可能な状態とは、出力装置３の電源が立ち上げられ、当該装置３のメモリ３３に組み込まれた動作プログラムの機能が有効になっている状態を指し、又、出力装置３が接続停止コマンド信号を受信することが不可能な状態とは、出力装置３の電源が立ち上げられていない状態、出力装置３の操作部にて設定操作が行われている状態、出力装置３の画像出力部３６において画像出力処理が行われている状態、出力装置３が単体動作モードとなっている状態等を指す。
【００３７】
ところで、制御装置２より出力装置３に対して接続停止コマンド信号が送信された際に、出力装置３が接続停止コマンド信号を受信することが不可能であった場合には、出力装置３の設定部３４は、この接続停止コマンド信号の受信を拒否する（エラーコマンド信号を返信・無応答等）。この場合、制御装置２の設定部２４は、当該装置２の表示部において、その旨の表示、例えば、“出力装置３からの応答がありません。”等のコメント表示を行う。
【００３８】
以上に説明した本実施形態における画像出力システムの設定操作の制御方法について、図１０及び図１１に示すフローチャートに基づいて説明する。
【００３９】
前述のように、例えば、制御装置２の電源が立ち上げられ、当該装置２のＨＤＤ２２が起動し（Ｓ０１）、これに組み込まれた動作プログラムの機能が有効になると（Ｓ０２、Ｙｅｓ）、制御装置２より出力装置３に対して接続許可コマンド信号が送信される（Ｓ０３）。具体的には、制御装置２の設定部２４から出力装置３の設定部３４へ、設定情報送受信部２５及び設定情報送受信部３５を介して制御装置２の設定部２４が機能有効な状態となっていることが通知される。一方、出力装置３においては、接続許可コマンド信号を受信することが可能な場合には（Ｓ０４、Ｙｅｓ）、これを受け入れ、当該装置３の設定部３４は、当該装置３の操作部における設定操作を無効とし（Ｓ０５）、その旨の接続許可応答信号を制御装置２の設定部２４へ、設定情報送受信部３５及び設定情報送受信部２５を介して送信する（Ｓ０６）。
【００４０】
尚、出力装置３が接続許可コマンド信号を受信することが可能な状態とは、出力装置３の電源が立ち上げられ、当該装置３のメモリ３３に組み込まれた動作プログラムの機能が有効になっている状態を指し、又、出力装置３が接続許可コマンド信号を受信することが不可能な状態とは、出力装置３の電源が立ち上げられていない状態、出力装置３の操作部にて設定操作が行われている状態、出力装置３の画像出力部３６において画像出力処理が行われている状態、出力装置３が単体動作モードとなっている状態等を指す。
【００４１】
ところで、制御装置２より出力装置３に対して接続許可コマンド信号が送信された際に、出力装置３が接続許可コマンド信号を受信することが不可能であった場合には（Ｓ０４、Ｎｏ）、出力装置３の設定部３４は、この接続許可コマンド信号の受信を拒否して、制御装置２の設定部２４へエラーコマンド信号を返信する（Ｓ１９）。この時、出力装置３の設定部３４は、当該装置３の操作部における設定操作を無効としない。一方、制御装置２の表示部においては、当該装置２の設定部２４によって、出力装置３の操作部における表示内容と同様の通常表示画面３Ａ、３Ｂが表示されると共に、図６に示すようなロック解除画面３Ｃが表示され（Ｓ１８）、これら通常表示画面３Ａ、３Ｂにおける操作は無効となり（Ｓ２０）、表示内容はロックされた状態となる。但し、当該装置２の操作部によって該ロック解除画面３Ｃのロック解除項目を選択すれば、通常表示画面３Ａ、３Ｂにおける表示内容がロックされた状態が解除され、設定部２４において、通常表示画面３Ａ、３Ｂにおける設定操作が有効となる。
【００４２】
再びＳ０６に戻って、出力装置３の設定部３４より接続許可応答信号を受信した制御装置２の設定部２４は、当該装置２の表示部において表示される、図４或いは図５に示す通常表示画面３Ａ、３Ｂにおける設定操作を有効とする（Ｓ０７）。これにより、操作者は、図４に示す出力装置制御プログラムメイン画面３Ａにおいてセットアップ画面項目を選択することで、図５に示すセットアップ画面３Ｂを表示して、該セットアップ画面３Ｂにおいて、出力装置３の各種設定、具体的には、カートリッジ交換・省電力モード設定・出力ＬＵＴ設定・時刻設定等の設定を行うことが可能となる。
【００４３】
そして、該セットアップ画面３Ｂにおいて出力装置３の各種設定が成された場合には（Ｓ０８、Ｙｅｓ）、図８に示すように、制御装置２の設定部２４から出力装置３の設定部３４へ、設定情報送受信部２５及び設定情報送受信部３５を介して設定変更コマンド信号が送信され（Ｓ０９）、一方、出力装置３においては、設定変更コマンド信号を受信することが可能な場合には（Ｓ１０、Ｙｅｓ）、これを受け入れ、当該装置３の設定変更を行う（Ｓ１１）と共に、その旨の設定変更成功応答信号を制御装置２の設定部２４へ、設定情報送受信部３５及び設定情報送受信部２５を介して送信する（Ｓ１２）。
【００４４】
尚、出力装置３が設定変更コマンド信号を受信することが可能な状態とは、出力装置３の電源が立ち上げられ、当該装置３のメモリ３３に組み込まれた動作プログラムの機能が有効になっている状態を指し、又、出力装置３が設定変更コマンド信号を受信することが不可能な状態とは、出力装置３の電源が立ち上げられていない状態、出力装置３の操作部にて設定操作が行われている状態、出力装置３の画像出力部３６において画像出力処理が行われている状態、出力装置３が単体動作モードとなっている状態等を指す。
【００４５】
ところで、制御装置２より出力装置３に対して設定変更コマンド信号が送信された際に、出力装置３が設定変更コマンド信号を受信することが不可能であった場合には（Ｓ１０、Ｎｏ）、出力装置３の設定部３４は、この設定変更コマンド信号の受信を拒否して、制御装置２の設定部２４へエラーコマンド信号を返信する（Ｓ２１）。以降、Ｓ０８へ戻る。
【００４６】
そして、制御装置２における出力装置３の設定操作が終了する等して、当該装置２のＨＤＤ２２に組み込まれた動作プログラムの機能が無効になると、或いは、ＨＤＤ２２が停止すると（Ｓ１３、Ｙｅｓ）、図９に示すように、制御装置２より出力装置３に対して接続停止コマンド信号が送信される（Ｓ１４）。具体的には、制御装置２の設定部２４から出力装置３の設定部３４へ、設定情報送受信部２５及び設定情報送受信部３５を介して制御装置２の設定部２４が機能無効の状態となっていることが通知される。一方、出力装置３においては、接続停止コマンド信号を受信することが可能な場合には（Ｓ１５、Ｙｅｓ）、これを受け入れ、当該装置３の設定部３４は、当該装置３の操作部における設定操作を有効とし（Ｓ１６）、その旨の接続停止応答信号を制御装置２の設定部２４へ、設定情報送受信部３５及び設定情報送受信部２５を介して送信する（Ｓ１７）。この時、制御装置２の設定部２４は、当該装置２の表示部において、その旨の表示、例えば、“接続停止処理は完了しました。”等のコメント表示を行う（Ｓ１８）。
【００４７】
尚、出力装置３が接続停止コマンド信号を受信することが可能な状態とは、出力装置３の電源が立ち上げられ、当該装置３のメモリ３３に組み込まれた動作プログラムの機能が有効になっている状態を指し、又、出力装置３が接続停止コマンド信号を受信することが不可能な状態とは、出力装置３の電源が立ち上げられていない状態、出力装置３の操作部にて設定操作が行われている状態、出力装置３の画像出力部３６において画像出力処理が行われている状態、出力装置３が単体動作モードとなっている状態等を指す。
【００４８】
ところで、制御装置２より出力装置３に対して接続停止コマンド信号が送信された際に、出力装置３が接続停止コマンド信号を受信することが不可能であった場合には（Ｓ１５、Ｎｏ）、出力装置３の設定部３４は、この接続停止コマンド信号の受信を拒否して、制御装置２の設定部２４へエラーコマンド信号を返信する（Ｓ２２）。この場合、制御装置２の設定部２４は、当該装置２の表示部において、その旨の表示、例えば、“出力装置３からの応答がありません。”等のコメント表示を行う（Ｓ１８）。
【００４９】
以上に説明したように、本実施形態における画像出力システム、制御装置、出力装置及び設定操作制御方法によれば、制御装置、或いは、出力装置の何れかにおいて出力装置に関する設定操作が行われる場合であっても、他方の状態に応じて適切に設定操作の有効／無効に関する制御が成されるので、これら双方において、その設定内容に不整合が生じることが確実に防止される。
【００５０】
尚、本発明に係る画像出力システム、制御装置、出力装置及び設定操作制御方法は、以上に説明した実施形態に限定されるものではなく、例えば、制御装置２に対する出力装置３の個数は複数であっても良い。また、制御装置２の出力装置３に対する出力制御の内容、即ち、通常表示画面３Ａ、３Ｂにおける具体的項目等は、出力装置の種類、具体的には、プリンタ、複写機、ファクシミリ等の種類に応じて適切に変更されるものとする。
【００５１】
【発明の効果】
以上に説明したように、本発明に係る画像出力システム、制御装置、出力装置及び設定操作制御方法によれば、制御装置、或いは、出力装置の何れかにおいて出力装置に関する設定操作を行う場合であっても、他方の状態に応じて適切に設定操作の有効／無効に関する制御が成されるので、これら双方において、その設定内容に不整合が生じることを確実に防止することができる。
【図面の簡単な説明】
【図１】本発明に係る画像出力システムの全体構成を表すシステム構成図である。
【図２】図１に示す画像出力システムの制御装置及び出力装置の制御構成を表すブロック図である。
【図３】図１に示す画像出力システムの制御装置及び出力装置間の通信内容を表すシーケンス図である。
【図４】図１に示す画像出力システムの制御装置及び出力装置において表示される出力装置の設定画面の１つを表す図である。
【図５】図４に示す出力装置の設定画面の他の画面を表す図である。
【図６】図４及び図５に示す出力装置の設定画面の表示内容がロックされた際の画面を表す図である。
【図７】図１に示す画像出力システムの制御装置及び出力装置間の通信内容を表すシーケンス図である。
【図８】図１に示す画像出力システムの制御装置及び出力装置間の通信内容を表すシーケンス図である。
【図９】図１に示す画像出力システムの制御装置及び出力装置間の通信内容を表すシーケンス図である。
【図１０】図１に示す画像出力システムの制御装置及び出力装置における設定操作の制御方法を説明するフローチャートの前半部である。
【図１１】図１０に示すフローチャートの後半部である。
【符号の説明】
１…作業端末
２…制御装置
２１…ＣＰＵ
２２…ＨＤＤ
２３…メモリ
２４…設定部
２５…設定情報送受信部
２６…出力装置制御部
３…出力装置
３１…ＣＰＵ
３２…ＨＤＤ
３３…メモリ
３４…設定部
３５…設定情報送受信部
３６…画像出力部
１Ａ…出力装置制御プログラムメイン画面
１Ｂ…セットアップ画面
１Ｃ…ロック解除画面
【図１】
2004005032.tif 000003
【図２】
2004005032.tif 000004
【図３】
2004005032.tif 000005
【図４】
2004005032.tif 000006
【図５】
2004005032.tif 000007
【図６】
2004005032.tif 000008
【図７】
2004005032.tif 000009
【図８】
2004005032.tif 000010
【図９】
2004005032.tif 000011
【図１０】
2004005032.tif 000012
【図１１】
2004005032.tif 000013